(57)【要約】      （修正有）【課題】内側に閉じ込められた人を救助できるほか、いたずら目的で操作されることを防ぎ、また通常時は円滑に開閉可能な折戸を提供する。【解決手段】折戸は、回動パネル１１と従動パネル２１を歯車蝶番３１で回動可能に連結した構造として、折戸の上部には、従動パネル２１の移動範囲を規制するガイド１８を配置し、従動パネル２１の上端面には、ガイド１８に向けて伸びる突出軸４１を設ける。突出軸４１は、その軸方向に変位可能に保持し、且つ弾性体４３で常時押し上げられる。さらに突出軸４１の先端にヘッド４２を組み込み、その中心部分がガイド１８の内部に入り込むと共に、その外周寄りに形成した錘状の係止片４５は、ガイド１８の下面に接触する。係止片４５の外縁部をドライバーＤなどで押し下げることで折戸が外側に開き、救助を迅速に実施できるほか、突出軸４１やヘッド４２の構造を外観から認識することは難しく、いたずらを防止できる。【選択図】図１
2017155445.tif 000002
【特許請求の範囲】
【請求項１】
回動パネル（１１）と従動パネル（２１、２２）で構成される折戸であって、
前記回動パネル（１１）は、中心軸（１５）を支点として回動可能で、前記従動パネル（２１、２２）は、該回動パネル（１１）で支持され、
噛み合う一対の歯車（３３、３４）と、該歯車（３３、３４）と一体化し且つ前記パネル（１１、２１、２２）に取り付ける一対のアーム（３７、３８）と、からなる歯車蝶番（３１または３２）を用い、
該歯車蝶番（３１または３２）は、隣接する前記パネル（１１、２１、２２）の境界の上下二箇所に配置し、且つ一方の前記アーム（３７）は一方の前記パネル（１１または２２）に取り付け、他方の前記アーム（３８）は他方の前記パネル（２１または２２）に取り付け、隣接するパネル（１１、２１、２２）を回動自在に連結し、
該折戸の上部には、前記従動パネル（２１、２２）の移動範囲を規制するガイド（１８）を配置し、
前記従動パネル（２１、２２）の上端面には、前記ガイド（１８）に向けて伸びる突出軸（４１）を設け、
該突出軸（４１）は、その軸線方向に移動可能に保持し、且つ弾性体（４３）で常時押し上げ、
該突出軸（４１）の先端には、ツバ状の係止片（４５）を有するヘッド（４２）を組み込み、該ヘッド（４２）の中心部分は前記ガイド（１８）の内部に入り込み、且つ前記係止片（４５）は末広がりの錘状で、該係止片（４５）の上面が前記ガイド（１８）の下面に接触することを特徴とする折戸。
【発明の詳細な説明】
【技術分野】
【０００１】
本発明は、内側に閉じ込められた人を救助できる機能を備えた折戸に関する。
【背景技術】
【０００２】
折戸は、複数の戸板（以下、パネルと称する）を回動自在に連結した構造で、通常はパネルが横に並んで通路を塞ぐが、パネルを一端側に移動させると、複数のパネルが折り重なるように密着し、通路が確保される。折戸は構造が複雑になるものの、引き戸のような戸袋が不要で、また開き戸よりも前後への突出が抑制され、周辺の空間が狭い箇所でも無理なく設置でき、浴室やトイレ個室や輸送用車両の出入り口などに広く普及している。
【０００３】
一般的な折戸の形状例を図９に示す。この折戸は、縦枠とガイドで囲まれた空間に二枚のパネルを配置した構造で、二枚のパネルのうち、右側の回動パネルは、その右端に設けた中心軸を支点として、自在に回動することができる。対して左側の従動パネルは、蝶番を介して回動パネルに取り付けられており、両パネルは、一定の範囲で自在に屈曲可能である。また回動パネルと従動パネルは、双方の側端面同士が向かい合うように配置してある。なおこの折戸は、蝶番の取り付け位置との兼ね合いから、一方だけに屈曲可能で、開く際は取っ手を手前に引き寄せる。
【０００４】
図９では、従動パネルの移動範囲を規制するため、その上端面に突出軸と吊り車を設けてあり、吊り車は、ガイドの内部に入り込み、ガイドに沿う方向にのみ移動できる。吊り車を設けることで、従動パネルはガイドから離れることができず、折戸を開くと、回動パネルと従動パネルの境界がガイドから最も遠ざかる。また吊り車は、従動パネルの移動範囲を規制する役割のほか、従動パネルを吊り下げる役割も担う。そのため、蝶番や中心軸に作用する荷重が軽減され、折戸の円滑な開閉を実現している。なお吊り車を支える突出軸は、従動パネルに対して自在に回動可能で、吊り車の転がり方向は、常にガイドの長手方向と揃う。
【０００５】
本願発明と関連のある技術の例として、後記の特許文献が挙げられる。そのうち特許文献１は、浴室の出入り装置に関するもので、高齢者などが浴室で倒れた際、迅速に救出できることを特徴としている。この文献では、浴室の出入り口として折戸を用い、その一部範囲に外開き可能な非常口を設けることが開示されており、異常時は、救出をする者が非常口から浴室内に入り込み、救出対象者の対応に当たるほか、折戸を内側から開放する。なお特許文献１では、折戸が浴室側から施錠され、しかも救出対象者が折戸を押し込むように倒れ込み、通常の方法では折戸の開放が難しい事態を想定している。
【０００６】
特許文献２では、折戸を用いた浴室構造が開示されており、この文献についても、先の特許文献１と同様、浴室内で倒れた入浴者を容易に救助できることを特徴としている。特許文献２の浴室構造は、一組の折戸と、これに隣接する袖障子で構成され、そのうち袖障子は、大物の資材搬入時などに限り開放されるもので、通常の出入りは折戸を用いる。そして、入浴者が折戸を押し込むように倒れ込んだ事態を想定し、袖障子は、外側から開閉自在であることを特徴とする。これを実現するため、袖障子の側縁部には、スライド可能な固定ピンを設け、通常は固定ピンで袖障子を施錠する。しかし非常時は、浴室の外側から固定ピンを操作して袖障子の施錠を解除し、救助をする者が浴室内に入り込めるようにする。
【先行技術文献】
【特許文献】
【０００７】
【特許文献１】実開平５−６７７９０号公報
【特許文献２】特開平１１−３０３５１８号公報
【発明の概要】
【発明が解決しようとする課題】
【０００８】
浴室やトイレ個室などの出入り口として折戸を用いた場合において、内側の人が倒れ込み、外側から救助する際は、まず何らかの手段で折戸の施錠を解除する。しかし内側の人が折戸を押し込むように倒れ込んでいると、施錠を解除した後も、折戸を開放できないことがある。そこで前記の特許文献２のように、非常時には、簡単な方法で折戸を外側に開放できることが好ましい。ただし折戸については、本願の図９に示すように、吊り車を用いることが多く、特許文献２と同様な構造（スライド可能な固定ピン）をそのまま導入することは難しい。
【０００９】
前記の特許文献２の図２および図３では、袖障子を施錠する固定ピン（符号：３５）を上下にスライドさせるため、レバー（符号：３６）を組み込むことが描かれているが、このレバーは、袖障子の縦枠の側面に露出している。このような構造とすることで、救助を容易に実施できるものの、不特定多数が利用する公共施設などでは、いたずら目的でレバーが操作され、後の利用者の混乱を招く恐れがある。そのため、非常時に戸を開放できる手段は、通常の利用者に対し、その存在を認識できないようにすべきである。
【００１０】
本発明はこうした実情を基に開発されたもので、内側に閉じ込められた人を救助できるほか、いたずら目的で操作されることを防ぎ、また通常時は円滑に開閉可能な折戸の提供を目的としている。
【課題を解決するための手段】
【００１１】
前記の課題を解決するための請求項１記載の発明は、回動パネルと従動パネルで構成される折戸であって、前記回動パネルは、中心軸を支点として回動可能で、前記従動パネルは、該回動パネルで支持され、噛み合う一対の歯車と、該歯車と一体化し且つ前記パネルに取り付ける一対のアームと、からなる歯車蝶番を用い、該歯車蝶番は、隣接する前記パネルの境界の上下二箇所に配置し、且つ一方の前記アームは一方の前記パネルに取り付け、他方の前記アームは他方の前記パネルに取り付け、隣接するパネルを回動自在に連結し、該折戸の上部には、前記従動パネルの移動範囲を規制するガイドを配置し、前記従動パネルの上端面には、前記ガイドに向けて伸びる突出軸を設け、該突出軸は、その軸線方向に移動可能に保持し、且つ弾性体で常時押し上げ、該突出軸の先端には、ツバ状の係止片を有するヘッドを組み込み、該ヘッドの中心部分は前記ガイドの内部に入り込み、且つ前記係止片は末広がりの錘状で、該係止片の上面が前記ガイドの下面に接触することを特徴とする折戸である。
【００１２】
本発明による折戸は、一対の歯車の噛み合いを利用した歯車蝶番を用い、戸板となる複数のパネルを回動自在に連結した構造で、複数のパネルのうち、一枚を回動パネルと称し、残りを従動パネルと称するものとする。そのうち回動パネルは、中心軸を介して枠組などに取り付けられ、通常の開き戸と同様、中心軸を支点とし、一定の範囲で回動可能である。また従動パネルは、中心軸を組み込まれることなく、隣接するパネルと歯車蝶番を介して連結される。なお従動パネルは、一枚の回動パネルの先に複数枚連結することがあり、その場合、折戸全体で屏風のような形態となる。
【００１３】
歯車蝶番は、一対の歯車と、個々の歯車に取り付けるアームなどで構成され、一対の歯車は、噛み合いを維持できるよう、何らかの手段で中心間距離を保持され、自在に回転可能である。またアームは、歯車蝶番とパネルを連結するための部品で、歯車の輪切り面に取り付けられ、一個の歯車に対して一個のアームを用いる。したがってアームは、歯車と同様に二個で一対となり、一方のアームを回転させると、他方のアームは反対方向に同じ角度だけ回転する。そして隣接する二枚のパネルの境界に歯車蝶番を配置し、一方のアームを一方のパネルに取り付け、他方のアームを他方のパネルに取り付けると、二枚のパネルが歯車蝶番を介し、回動自在に連結される。
【００１４】
歯車蝶番は、歯車とアームのほか、個々の歯車を回転自在に保持するピンや、二本のピンを一体化する接続板なども必要となるが、これらの具体的な構造は自在である。またアームの形状についても、パネルとの関係で自在に決めることができ、パネルの上端面や下端面に接触する単純な直線状の場合もあれば、パネルの側面を挟み込むような形状とする場合もある。そして歯車蝶番は、隣接するパネルの上端部と下端部の二箇所に配置する。当然ながら、パネルが円滑に回動できるよう、上下の歯車蝶番は、歯車を同心に揃える必要がある。
【００１５】
ガイドは、折戸上方の鴨居部分に配置され、従動パネルの移動範囲を規制する役割を担い、従来と同様、折戸には不可欠な部品である。従動パネルは、隣接するパネルと回動自在に連結されるが、ガイドにより、その移動範囲を規制される。したがって、折戸を開閉する際は、隣接するパネル同士の境界がガイドから最も飛び出し、そこを頂点として、二枚のパネルが二等辺三角形を描きながら移動する。
【００１６】
突出軸は、従動パネルの上端面からガイドに向けて垂直に伸びる軸で、その先端でヘッドを保持する。また突出軸は、軸線方向（上下方向）に移動可能な構造とするほか、弾性体を組み込み、常時上方向に押し出されるものとする。なお弾性体の組み込み方法は、自在に選択可能である。
【００１７】
ヘッドは、概ね末広がりの錐状とした部品で、その中心部分は、ガイドの下面に形成された空洞の内部に入り込む。そのため従動パネルの移動範囲が規制され、折戸としての機能が確保される。なお従来は、ヘッドではなく吊り車を用い、従動パネルを吊り下げることが多かった。しかし本発明では、パネル同士の連結に歯車蝶番を用いるため、従動パネルを安定して支持でき、従来の吊り車は不要となり、より単純なヘッドを用いることができる。また突出軸を強制的に押し下げると、ヘッドがガイドから引き離され、従動パネルはガイドに規制されることなく、自在に移動可能になる。
【００１８】
係止片は、ヘッドの外周寄りに形成した錘状の部位で、これがガイドの下面に接触することで、突出軸の上昇を規制する。また係止片は錘状であるため、その上斜面は、限られた範囲だけがガイドの下面と接触し、係止片の外縁部では、ガイドの下面と接触することなく隙間が確保される。そしてこの隙間にマイナスドライバーなどを差し込み、ヘッドを押し下げると、ヘッドがガイドから引き離される。
【００１９】
このように、移動可能な突出軸を用い、その先端に係止片を有するヘッドを組み込むことで、通常はヘッドの中心部分がガイドの内部に入り込み、従動パネルの移動範囲が規制され、折戸としての機能が確保される。しかし人為的にヘッドを押し下げると、従動パネルが自在に移動できるようになり、本来とは異なる方法で折戸を開くことができる。したがって異常時は、外側からヘッドを押し下げ、回動パネルや従動パネルを外側に開き、内側の人を救助する。
【００２０】
ヘッドや突出軸が押し下げ可能であることは、折戸の外観を眺めただけでは認識できない。そのため、目的外でヘッドが押し下げられ、折戸が本来とは異なる状態で開くことはない。しかし折戸の構造を認識している管理者などは、各種工具を用いてヘッドを押し下げ、折戸を簡単に開くことができ、内側に閉じ込められた人を迅速に救助できる。なお、ヘッドの係止片を錘状にすることで、工具による押し下げが容易になる。
【００２１】
本発明によるヘッドや突出軸は、歯車蝶番を用いない折戸にも導入可能である。ただしヘッドには、従動パネルを吊り下げる機能がなく、隣接するパネル同士を連結する蝶番の負荷が大きくなる。そのため単純な蝶番では、パネルの自重を支持できず、従動パネルが徐々に垂れ下がり、ヘッドがガイドから離脱する恐れがある。その対策として、大形の蝶番を用いることもあり得るが、取り付けスペースの確保や、美感の悪化や、開閉操作が重くなるなど、不利な点が多い。対して歯車蝶番は、上下二箇所に取り付けるため、強度や美感に優れ、しかも開閉操作も円滑である。
【発明の効果】
【００２２】
請求項１記載の発明のように、歯車蝶番を用い、回動パネルと従動パネルを回動自在に連結した折戸において、従動パネルには、軸線方向に移動可能な突出軸を組み込み、その先端のヘッドをガイドの内部に入り込ませることで、従動パネルの移動範囲が規制される。そのため通常は、従来の折戸と同様に使用可能である。さらに急病などで、内側の人がパネルを押し込むように倒れ込み、通常の方法で折戸を開放できない場合、外側からヘッドを押し下げ、パネルを外側に開き、倒れた人を救助することができる。
【００２３】
突出軸やヘッドは、パネルとガイドの隙間に配置され、人目には付きにくい。また突出軸やヘッドが押し下げ可能であることは、外観からは認識できない。そのため不特定多数が出入りする公共施設などでも、いたずらで折戸が開放されることを抑制できる。しかも非常時は、管理者などが工具一本で簡単に折戸を外側に開くことができ、救助を迅速に実施できる。なお、ヘッドの係止片を錘状にすることで、工具による押し下げが容易になる。
【００２４】
歯車蝶番は、パネルの上端部と下端部に対向するように取り付けるため、隣接するパネル同士を高い剛性で連結することができる。そのため従動パネルは、吊り車などを用いることなく歯車蝶番だけで支持可能で、中心軸から遠く離れた従動パネルの先端側においても、ほとんど垂れ下がりを生じることがなく、利用者による従動パネルの押し下げや、ぶら下がりといった行動にも耐え抜くことができる。
【図面の簡単な説明】
【００２５】
【図１】本発明による折戸の形状例を示す斜視図である。
【図２】図１の折戸において、内側で倒れた人を救助する際の手順を示す斜視図である。
【図３】図２の後、内側で倒れた人を救助するため、折戸を外側に開いた状態を示す斜視図である。
【図４】図１の折戸を正常に開いた状態を示す斜視図である。
【図５】図１の折戸の突出軸と、その周辺の詳細構造を示す縦断面図である。
【図６】強度を向上させた歯車蝶番を示す斜視図で、歯車を上下に二対配置し、上下の歯車の間に大径板と小径板を挟み込んでいる。
【図７】歯車蝶番を回動パネルや従動パネルに取り付ける方法の一例を示す斜視図である。なおこの図の歯車蝶番には、ストッパとして機能するアゴを設けてある。
【図８】三枚のパネルで構成される折戸に本発明を導入した場合を示す斜視図で、二枚の従動パネルのそれぞれに突出軸を組み込んである。
【図９】一般的な折戸の形状例を示す斜視図である。
【発明を実施するための形態】
【００２６】
図１は、本発明による折戸の形状例を示す。この折戸は、回動パネル１１および従動パネル２１と称する二枚の戸板で構成され、回動パネル１１と従動パネル２１は、双方の側端面同士が対向するように並び、その上下二箇所に歯車蝶番３１を配置し、回動パネル１１と従動パネル２１を連結している。また回動パネル１１の隣には、折戸を囲む縦枠１０を配置してあるほか、上部には、従動パネル２１の移動範囲を規制するガイド１８を配置してある。なお図の折戸では、右下側を「外側」と表記し、左上側を「内側」と表記してある。内側は、トイレ個室などを想定しており、外側は、通路などを想定している。
【００２７】
回動パネル１１は、通常の開き戸と同様、中心軸１５を支点として回動可能である。なお図の中心軸１５は、ガイド１８と床面で保持されている。対して従動パネル２１は、回動パネル１１と回動自在に連結されているほか、その上端面からは、突出軸４１が伸びている。そして突出軸４１の先端には、ヘッド４２を組み込んである。ヘッド４２の中心部分は、ガイド１８の内部に入り込み、従動パネル２１の移動範囲が規制される。そのため折戸を開閉する際は、回動パネル１１と従動パネル２１の境界がガイド１８から最も飛び出し、両パネル１１、２１は上から見て、二等辺三角形を描きながら移動する。
【００２８】
歯車蝶番３１は、噛み合いを維持する一対の歯車３３、３４と、個々の歯車３３、３４と一体化した一対のアーム３７、３８などで構成され、一方のアーム３７は回動パネル１１に取り付け、他方のアーム３８は従動パネル２１に取り付ける。さらにアーム３７、３８の一端側は、回動パネル１１や従動パネル２１の側面を挟み込めるよう、コの字形にしてある。そのためアーム３７、３８から差し込むネジ３９の本数を増やすことができ、回動パネル１１や従動パネル２１は、歯車蝶番３１と強固に一体化される。
【００２９】
歯車蝶番３１には、歯車３３、３４とアーム３７、３８のほか、歯車３３、３４の中心を貫通し、歯車３３、３４を回転自在に保持するピン３５や、一対のピン３５を一定の間隔に保持する接続板３６なども必要である。また上下の歯車蝶番３１は、歯車３３、３４が同心に揃うように配置する。そのほかアーム３７、３８は、回動パネル１１や従動パネル２１の側面から飛び出さないよう、表面に埋め込んである。そのため折戸を完全に開いた際、回動パネル１１と従動パネル２１は、隙間なく密着する。
【００３０】
従動パネル２１の先端側（図の左側）には、取っ手２４など、折戸の開閉に用いる部品を配置してある。そのうち取っ手２４は、外側から内側に入る際に用い、取っ手２４を手前に引き寄せることで、歯車蝶番３１が内側に入り込み、回動パネル１１と従動パネル２１が折り重なるように移動する。なお歯車蝶番３１の性質上、取っ手２４を手前に引き寄せる以外に、奥に押し込むことも可能だが、ここでは何らかのストッパを組み込み、押し込めない構造にしてある。
【００３１】
取っ手２４の近傍には、折戸の施錠機構となる内カギ２５と掛け金２６と解除輪２７を組み込んである。そのうち内カギ２５は、内側から折戸を施錠するためのツマミで、これを操作すると、従動パネル２１の側端面から掛け金２６が突出し、対向する枠組（図示は省略）の中に入り込み、従動パネル２１を固定する。そして解除輪２７は、内カギ２５を外側から操作するためのもので、内カギ２５と一体で回転し、内側で人が倒れた場合など、非常時に限って使用する。そのため解除輪２７を操作する際は、ドライバーＤなどの工具が必要で、不用意に操作されることを防ぐ。
【００３２】
従動パネル２１の上端面から伸びる突出軸４１は、その軸線方向に移動可能で、さらに従動パネル２１の内部に組み込んだ弾性体４３により、上方に押し出され、ヘッド４２の中心部分は、ガイド１８の内部に入り込む。また、ヘッド４２の外周寄りに形成した錘状の係止片４５は、その上斜面がガイド１８の下面に接触し、ヘッド４２の上昇を規制している。なお係止片４５は錘状であるため、その外縁部では、ガイド１８の下面と接触することなく隙間が確保される。
【００３３】
図１の折戸の内側で人が倒れ、外側から救助する際は、まず管理者などが解除輪２７を操作し、折戸の施錠を解除する。しかし、倒れた人が折戸の中央付近を押し込んでいると、通常の方法で折戸を開くことが難しい。そこで図１の左上に描くように、ガイド１８と係止片４５の隙間にドライバーＤなどの工具を差し込み、ヘッド４２を押し下げ、ガイド１８から引き離す。これにより、従動パネル２１は自在に移動可能になり、回動パネル１１と従動パネル２１は、開き戸のように扱うことができる。
【００３４】
図２は、図１の折戸において、内側で倒れた人を救助する際の手順を示す。この図のように折戸が閉じた状態で、しかも内カギ２５が操作されて施錠されている場合、まずは外側から解除輪２７の中央にドライバーＤを差し込み、施錠を解除する。ただし施錠を解除した後も、内側の人が回動パネル１１と従動パネル２１の境界付近を押し込むように倒れていた場合、外側から取っ手２４を引き寄せても、回動パネル１１や従動パネル２１は移動できない。そこでドライバーＤを従動パネル２１とガイド１８の境界付近に移動させ、その先端を係止片４５とガイド１８の間に差し込み、ヘッド４２と突出軸４１を押し下げる。
【００３５】
図３は、図２の後、内側で倒れた人を救助するため、折戸を外側に開いた状態を示す。図２のように、ヘッド４２と突出軸４１を押し下げると、従動パネル２１は、ガイド１８による規制が解除され、外側に開くことができる。なおこの状態では、回動パネル１１と従動パネル２１のいずれも、中心軸１５を支点として回動するが、歯車蝶番３１により、回動パネル１１と従動パネル２１は自在に屈曲可能で、その取り扱いに困ることはない。しかも、回動パネル１１と従動パネル２１は強固に連結されており、従動パネル２１が垂れ下がり、床に接触することもない。
【００３６】
図４は、図１の折戸を正常に開いた状態を示す。図１において、取っ手２４を手前に引き寄せると、回動パネル１１と従動パネル２１の境界が内側に向けて飛び出すほか、従動パネル２１の先端は外側に飛び出す。そして折戸を完全に開くと、回動パネル１１と従動パネル２１は、縦枠１０の近傍で折り重なり、ガイド１８の下に通路が確保される。なお図の折戸は、開く方向を規制してあり、回動パネル１１と従動パネル２１の境界が外側に飛び出すことはない。そのほか内側からの折戸の開閉を考慮し、内カギ２５の上には、引き手２８を設けてある。
【００３７】
図５は、図１の折戸の突出軸４１と、その周辺の詳細構造を示す縦断面である。突出軸４１は上下方向に移動可能だが、これを実現するため、従動パネル２１の内部には収軸筒４６を埋め込んであり、突出軸４１はその中を上下に移動する。また収軸筒４６の中にはコイル状の弾性体４３を配置してあり、その反力により、突出軸４１を常時上方に押し出している。さらに突出軸４１の先端には、ヘッド４２を組み込んである。ヘッド４２の中心部分は、ガイド１８の内部に入り込むが、ヘッド４２の外周寄りの係止片４５は、ガイド１８の下面に接触する。
【００３８】
ヘッド４２は、ベアリング４７を介して突出軸４１と接触しており、自在に回転可能で、折戸を開閉する際の摩擦を軽減する。またヘッド４２を組み込むため、止めボルト４８を用いている。なお折戸を開閉する際は、必然的にヘッド４２が内側あるいは外側のいずれか一方に押し出され、係止片４５の一点だけがガイド１８と接触するため、ヘッド４２の回転が阻害されることはない。
【００３９】
係止片４５は円錐形で、外側に向うに連れて下降するため、係止片４５の外縁部は、ガイド１８の下面と接触することなく隙間が確保される。そしてこの隙間にドライバーＤなどを差し込み、ヘッド４２を押し下げると、突出軸４１を介して弾性体４３が押し縮められ、ヘッド４２は、ガイド１８から完全に引き離される。そのため従動パネル２１は、ガイド１８による規制を受けることなく、自在に移動できるようになる。なおドライバーＤを係止片４５から離すと、突出軸４１は、再び上方に押し出される。
【００４０】
本発明は、突出軸４１を押し下げ可能な構造とするほか、ヘッド４２に錘状の係止片４５を形成し、係止片４５の外縁部とガイド１８の下面に隙間を確保し、この隙間にドライバーＤなどの工具類を差し込み、通常とは異なる方法で折戸を開放可能としたことを特徴としており、突出軸４１やヘッド４２などの詳細形状は、自在に決めて構わない。そのほかこの図では、従動パネル２１とガイド１８が離れており、密閉性を確保できない。この点は、室内外を区画する箇所では問題となるが、室内の仕切りとしては、問題にならない。
【００４１】
図６は、強度を向上させた歯車蝶番３２を示す。本発明で用いる歯車蝶番３１、３２は、図１などに示すように、回動パネル１１と従動パネル２１の境界の上下二箇所に配置する。そのため、上下の歯車蝶番３１、３２の間隔が長くなり、必然的に曲げモーメントなどに対する耐久性が向上し、故意で従動パネル２１に大きな荷重を加えた場合でも、従動パネル２１が垂れ下がり、床に接触するといった事態を回避できる。ただしこれを実現するには、歯車蝶番３１、３２自体も十分な強度を有する必要がある。
【００４２】
そのため図６の歯車蝶番３２は、歯車３３、３４を上下に重ね、計二対の歯車３３、３４を用いており、さらに上下の歯車３３、３４の間には、大径板５３と小径板５４を挟み込んでいる。大径板５３は、図の右側の歯車３３に組み込まれ、その外縁は、同心の歯車３３を大きく飛び出し、左側の歯車３４の間に挟み込まれる。また小径板５４は、左側の歯車３４に組み込まれ、大径板５３が入り込むスペースを確保する。大径板５３により、左側の歯車３４と右側の歯車３３の間で垂直荷重が伝達され、歯車蝶番３２は、より大きな荷重を受け止めることができる。
【００４３】
大径板５３を介して垂直荷重を円滑に伝達できるよう、大径板５３は、その上に位置する歯車３３と密着させることが望ましい。そこで歯車３３の上面から短ネジ５７を差し込み、大径板５３を引き寄せている。なお短ネジ５７の軸部を差し込むため、歯車３３には、孔を追加工してあり、また大径板５３には、短ネジ５７と螺合するメネジ５８を設けてある。そのほか短ネジ５７は、歯車３３や大径板５３から突出しないよう、長さを調整してある。
【００４４】
図６の歯車蝶番３２は、同心で並ぶ各部品を固定するため、固定ボルト５２を用いている。固定ボルト５２の頭部は、歯車３３、３４の内部に収容され、また固定ボルト５２の先端は、アーム３７、３８に設けたメネジ５６に螺合する。そのほか右側のアーム３７は、回動パネル１１の側面を挟み込むよう、一端側をコの字状にしてあり、そこから複数の方向にネジ３９を差し込むことで、歯車蝶番３２と回動パネル１１を強固に一体化できる。ただし左側のアーム３８は、より単純な平面状としてある。このようにアーム３７、３８の詳細形状は自在である。
【００４５】
図７は、歯車蝶番３２を回動パネル１１や従動パネル２１に取り付ける方法の一例を示す。本発明では、従動パネル２１の垂れ下がりを防ぐため、歯車蝶番３２は、回動パネル１１や従動パネル２１と強固に一体化する必要がある。そこで図７では、歯車蝶番３２の取り付けに金属製の中継棒６１を介在させている。中継棒６１は、回動パネル１１や従動パネル２１の上下端面に加工した横溝６８の中に埋め込み、その皿孔６２に木ネジ６５を差し込むことで、回動パネル１１や従動パネル２１に固定する。なお中継棒６１に対応し、アーム３７、３８は単純な平面状になる。
【００４６】
中継棒６１を回動パネル１１や従動パネル２１に埋め込んだ後、中継棒６１を覆い隠すように歯車蝶番３２のアーム３７、３８を載せ、さらにアーム３７、３８から中継棒６１のメネジ６３に向けてネジ３９を差し込むと、歯車蝶番３２の取り付けが完了する。回動パネル１１や従動パネル２１は、木製であることが多く、経年変形でネジ類の緩みを生じやすい。しかし中継棒６１を用いることで、木ネジ６５の本数を増やし、しかもアーム３７、３８の裏面で木ネジ６５の頭部を押さえ込むことで、緩みを抑制できる。この図のように、中継棒６１は単純な形状で、大きさや皿孔６２の個数の変更は容易である。したがって荷重条件に基づき、最適形状の中継棒６１を用いることができ、常に十分な強度を確保できる。
【００４７】
図７では、図６と同様、二対の歯車３３、３４からなる歯車蝶番３２を用いているが、当然ながら、これを図１などに示す一対の歯車３３、３４からなる歯車蝶番３１に置き換えることもできる。また図７の歯車蝶番３２は、ストッパとしての機能を持たせるため、個々のアーム３７、３８にアゴ６０を設けてある。対向するアゴ６０が接触することで、歯車蝶番３２の回動範囲が規制され、折戸の開く方向が限定される。本発明では、非常時に折戸を外側に開くことを想定しており、一般的なストッパを流用できない場合がある。そこで図７のように、歯車蝶番３２にストッパしての機能を持たせることがある。そのほか図７の右下には、歯車蝶番３２を取り付けた後、回動パネル１１と従動パネル２１が正常に開いた状態を描いてある。
【００４８】
図８は、三枚のパネルで構成される折戸に本発明を導入した場合を示す。本発明は、二枚のパネルで構成される折戸のほか、三枚以上のパネルで構成される折戸にも導入可能で、ここでは右端の回動パネル１１と左端の従動パネル２１の間に、別の従動パネル２２を挟み込み、それぞれの境界に歯車蝶番３１を組み込んでいる。さらに二枚の従動パネル２１、２２には、いずれにも上下方向に移動可能な突出軸４１を組み込んであり、その係止片４５を押し下げることで、ガイド１８から引き離すことができる。
【符号の説明】
【００４９】
１０  縦枠
１１  回動パネル
１５  中心軸
１８  ガイド
２１  従動パネル（左端に位置する）
２２  従動パネル（中央に位置する）
２４  取っ手
２５  内カギ
２６  掛け金
２７  解除輪
２８  引き手
３１  歯車蝶番（歯車が一対）
３２  歯車蝶番（歯車が二対）
３３  歯車（縦枠側）
３４  歯車（取っ手側）
３５  ピン
３６  接続板
３７  アーム（縦枠側）
３８  アーム（取っ手側）
３９  ネジ
４１  突出軸
４２  ヘッド
４３  弾性体
４５  係止片
４６  収軸筒
４７  ベアリング
４８  止めボルト
５２  固定ボルト
５３  大径板
５４  小径板
５６  メネジ（固定ボルト用）
５７  短ネジ
５８  メネジ（短ネジ用）
６０  アゴ
６１  中継棒
６２  皿孔
６３  メネジ（中継棒の上面）
６５  木ネジ
６８  横溝
Ｄ    ドライバー
【図１】
2017155445.tif 000003
【図２】
2017155445.tif 000004
【図３】
2017155445.tif 000005
【図４】
2017155445.tif 000006
【図５】
2017155445.tif 000007
【図６】
2017155445.tif 000008
【図７】
2017155445.tif 000009
【図８】
2017155445.tif 000010
【図９】
2017155445.tif 000011